(57)【要約】【課題】  ＰＨＳ方式のモデムを使用した無線通信システムに関して、特に、既存のシリアルポートでＰＣから制御する装置類に対してＥｔｈｅｒｎｅｔ方式のＬＡＮを使用して制御を可能とする無線通信システムを提供する。【解決手段】  シリアル（ＲＳ−２３２Ｃ）のインターフェースを持ちＰＣと通信の行う装置であるシリアルデバイス１と、ＰＨＳモデム２と、シリアルデバイス１とＰＨＳモデム２を接続するシリアルケーブル３と、ＰＨＳモデム２と通信を行うことができ、かつ、ＬＡＮに接続可能なデータ転送システム基地局（Cell Station：ＣＳ）４と、Ethernetのネットワーク５と、シリアルデバイスを制御するための操作用ＰＣ６と、操作用ＰＣからシリアルポートとして指定されたデバイスドライバ７とから構成される。【選択図】  図１
2005184053.tif 000002
【特許請求の範囲】
【請求項１】
ＰＨＳ方式のモデムを使用した無線通信システムであって、
シリアルインターフェースを持つシリアルデバイスと、
前記シリアルデバイスと接続され、他の通信装置と通信が行えるＰＨＳモデムと、
前記ＰＨＳモデムと無線で通信を行うことができ、かつ、ＬＡＮに接続可能なデータ転送システム基地局と、
前記データ転送システム基地局とネットワークを介して接続されている操作用ＰＣを少なくとも１つ以上備え、
前記操作用ＰＣから前記シリアルデバイスを制御することを特徴とする無線通信システム。
【発明の詳細な説明】
【技術分野】
【０００１】
本発明は、ＰＨＳ方式のモデムを使用した無線通信システムに関して、特に、既存のシリアルポートでＰＣから制御する装置類に対してＥｔｈｅｒｎｅｔ方式のＬＡＮを使用して制御を可能とする無線通信システムに関するものである。
【背景技術】
【０００２】
従来、測定器等の装置をＰＣ（Personal Computer）から制御したり、情報を送受信したりするためには、ＲＳ−２３２Ｃ（パソコンに装備されているシリアル・インターフェース。パソコンとモデムを接続するための標準方式）に代表されるシリアル通信、プリンタポートであるパラレルポートを使用したパラレル通信、またはＳＣＳＩ（Small Computer Systems Interface）等、その他にも独自のインターフェースボードを装着するというようなインターフェースが利用されてきた。
【０００３】
そのようなインターフェースの中で、ＰＣにも標準で装備されており、また扱いも容易であるＲＳ−２３２Ｃのシリアルポートが多く利用されており、遠隔地のデバイスとの接続には、ＲＳ−２３２Ｃとモデム、電話線を利用した図４のようなシステム（１１：シリアルデバイス、１２：操作用ＰＣ、１３：モデム、１４：シリアルケーブルから構成）が用いられている。
【０００４】
また、現在では、ＰＣがＬＡＮ（Local Area Network）に接続されるようになり、Ｅｔｈｅｒｎｅｔ方式とＴＣＰ／ＩＰ（Transmission Control Protocol/Internet Protocol）プロトコルを用いたネットワークが主流となってきており、このＥｔｈｅｒｎｅｔ方式に対応したネットワーク対応のデバイスも多く世の中に出回るようになってきた。
【０００５】
これらのネットワーク対応の利点は、デバイスの共有が可能である点があげられる。他の接続と異なり装置類はＰＣに従属的に接続されているわけではなく、他のネットワーク上のノード、ＰＣやサーバ等と同等な存在として通信を行うことになるため、ネットワークの構成を変えることなく複数のＰＣが装置類に接続できるようになる。また、スイッチングハブやルータを挟むことによって、Ｅｔｈｅｒｎｅｔのケーブルは延々と伸ばすことができ、配置の自由度が高く、システム構成等の変更も比較的容易であるという利点もある。
【発明の開示】
【発明が解決しようとする課題】
【０００６】
しかし、Ｅｔｈｅｒｎｅｔのケーブル接続における配置の自由度が高いといっても、自由度には限界があり、また、ケーブル長が伸びればそれだけケーブル費用が発生するという問題も存在する。
【０００７】
そこで、本発明の目的は、ＰＨＳ（ＡＲｌＢ標準２８に定めるパーソナルハンディフォンシステム）方式のモデムを使用した無線通信システムに関して、既存のシリアルポートでＰＣから制御する装置類に対してＥｔｈｅｒｎｅｔ方式のＬＡＮを使用して制御を可能とする無線通信システムを提供することにある。
【課題を解決するための手段】
【０００８】
本発明の請求項１記載の無線通信システムは、ＰＨＳ方式のモデムを使用した無線通信システムであって、シリアルインターフェースを持つシリアルデバイスと、前記シリアルデバイスと接続され、他の通信装置と通信が行えるＰＨＳモデムと、前記ＰＨＳモデムと無線で通信を行うことができ、かつ、ＬＡＮに接続可能なデータ転送システム基地局と、前記データ転送システム基地局とネットワークを介して接続されている操作用ＰＣを少なくとも１つ以上備え、前記操作用ＰＣから前記シリアルデバイスを制御することを特徴とする。
【発明の効果】
【０００９】
本発明は、ＰＨＳモデムを使用することによって、デバイス設置時にケーブルを引き回す必要がなくなり、装置の設置場所の自由度が飛躍的に向上するという効果がある。また、シリアルポートへの接続を変換してＩＰアドレスでＣＳ、ＰＨＳモデムを利用してシリアルデバイスに接続するため、シリアル接続の装置とその操作用アプリケーションは通信路の変化を意識する必要がなくなるという効果がある。更に、ＬＡＮ上に操作用ＰＣを複数置くことが可能であり、既存のシステムを変更することなく、複数の操作用ＰＣから１つのデバイスを利用することができるという効果がある。
【発明を実施するための最良の形態】
【００１０】
以下、実施例を通じて本発明を説明するが、以下の実施例は請求項に係る発明を限定するものではなく、また実施例の中で説明されている特長の組み合わせの全てが発明の解決手段に必須であるとは限らない。
【実施例１】
【００１１】
図１は、本発明における無線通信システムの実施形態の一例を示す図である。図１は、シリアル（ＲＳ−２３２Ｃ）のインターフェースを持ちＰＣと通信の行う装置であるシリアルデバイス１と、ＰＨＳモデム２と、シリアルデバイス１とＰＨＳモデム２を接続するシリアルケーブル３と、ＰＨＳモデム２と通信を行うことができ、かつ、ＬＡＮに接続可能なデータ転送システム基地局（Cell Station：ＣＳ）４と、Ethernetのネットワーク５と、シリアルデバイスを制御するための操作用ＰＣ６と、操作用ＰＣからシリアルポートとして指定されたデバイスドライバ７とから構成されている。
【００１２】
ここで、本発明のようなＰＨＳ方式でデータ通信を行うためには、ＰＨＳモデムでＰＩＡＦＳ（PHS Internet Access Forum Standard：ピアフ）データ通信方式に対応し、交換機内にＰＩＡＦＳ／ＴＣＰ／ＩＰのゲートウェイを設ける事で、ＰＨＳモデムから一般的なＥｔｈｅｒｎｅｔ方式のＬＡＮシステムに接続し、データ通信を行うことができる構成とする。すなわち、本発明では、ＰＩＡＦＳに対応したＰＨＳモデムを用いて、構内無線ＬＡＮ的な運用が利用できるものである。
【００１３】
次に、ＰＨＳモデム２に接続されたシリアルデバイス１を制御するために、操作用ＰＣ６からＰＨＳモデム２への接続方法に関して説明する。図２は、操作用ＰＣからＰＨＳモデムへの接続方法に関するブロック図を示すものである。ここで、無線区間の通信（ＣＳ４からＰＨＳ２モデムの通信）には、相手先の指定に電話番号、接続認証にＩＤを使用する。ＬＡＮ区間では、相手先の指定にＩＰアドレスを指定する。電話番号とＩＰアドレスの対応は、ＣＳ４にて行う。以下その手順について説明する。
【００１４】
まず、操作用ＰＣ６は、ＩＰアドレス192.168.194.3でデータ送信を行う（１）。操作用ＰＣ６で送信されたデータをもとにＣＳ４では、接続相手先のＩＰアドレスから電話番号を取出し、着信をかける（２）。着信を受け取ったＰＨＳモデム２では、ＣＳ４と無線区間のリンクを確立し、確立後に操作用ＰＣからのデータが送信される（３）。以上のような手順を踏むことで、操作用ＰＣ６からＰＨＳモデム２へと接続可能となり、操作用ＰＣ６からＰＨＳモデム２を介してシリアルデバイス１の制御を行うことができる。
【００１５】
また、ＰＨＳモデム２に接続されたシリアルデバイス１を制御するために、ＰＨＳモデム２から操作用ＰＣ６への接続方法に関して説明する。図３は、ＰＨＳモデムから操作用ＰＣへの接続方法に関するブロック図を示すものである。ここで、図２と同様に無線区間の通信（ＰＨＳモデム２からＣＳ４の通信）には、相手先の指定に電話番号、接続認証にＩＤを使用する。ＬＡＮ区間では、相手先の指定にＩＰアドレスを指定する。電話番号とＩＰアドレスの対応は、ＣＳ４にて行う。以下その手順について説明する。
【００１６】
まず、ＰＨＳモデム２は操作用ＰＣ６の電話番号である1000で発信を行う（１）。その発信を受け取ったＣＳ４では、ＰＨＳモデムと無線区間のリンクの確立を行う（２）。無線区間リンクの確立後は、接続相手の電話番号（操作用ＰＣ６）、接続元の電話番号からＩＰアドレスを取出し、ＴＣＰ／ＩＰパケットを組んでデータ送信を行う（３）。以上のような手順を踏むことで、ＰＨＳモデム２から操作用ＰＣ６へと接続可能となり、操作用ＰＣ６とＰＨＳモデム２を介したシリアルデバイス１とのデータ送受信を行うことができる。
【００１７】
以上のように、本発明では、ＰＨＳモデムを使用することによって、デバイス設置時にケーブルを引き回す必要がなくなり、装置の設置場所の自由度が飛躍的に向上する。また、シリアルポートへの接続を変換してＩＰアドレスでＣＳ、ＰＨＳモデムを利用してシリアルデバイスに接続するため、シリアル接続の装置とその操作用アプリケーションは通信路の変化を意識する必要がなくなる。更に、ＬＡＮ上に操作用ＰＣを複数置くことが可能であり、既存のシステムを変更することなく、複数の操作用ＰＣから１つのデバイスを利用することが可能となる。
【図面の簡単な説明】
【００１８】
【図１】本発明における無線通信システムの実施形態の一例を示す図である。
【図２】操作用ＰＣからＰＨＳモデムへの接続方法に関するブロック図を示すものである。
【図３】ＰＨＳモデムから操作用ＰＣへの接続方法に関するブロック図を示すものである。
【図４】従来の通信システムの一例を示すブロック図である。
【符号の説明】
【００１９】
１    シリアルデバイス
２    ＰＨＳモデム
３    シリアルケーブル
４    データ転送システム基地局（Cell Station：ＣＳ）
５    ネットワーク
６    操作用ＰＣ
７    デバイスドライバ
１１  シリアルデバイス
１２  操作用ＰＣ
１３  モデム
１４  シリアルケーブル
【図１】
2005184053.tif 000003
【図２】
2005184053.tif 000004
【図３】
2005184053.tif 000005
【図４】
2005184053.tif 000006